(57)【要約】【目的】  容易な構成により暗号化された通話内容の取得及び記録を可能とする通話録音方法及びシステムを提供する。【構成】  ＩＰ網を介した電話機端末間の通話を録音装置によって録音する通話録音方法及びシステムであり、呼接続要求に応じて、発呼側電話機端末及び着呼側電話機端末の双方に向けて、接続相手に対応する接続先ＩＰアドレスとして該録音装置のＩＰアドレスを設定した応答を送信して呼接続をなす。該電話機端末の各々から接続相手に向けた暗号鍵の送信に応じて、これを該接続先ＩＰアドレスを介して該録音装置において受信し保持すると共に、該接続相手の電話機端末に転送し、該電話機端末の各々から接続相手に向けた暗号化通話パケットの送信に応じて、これを該接続先ＩＰアドレスを介して該録音装置において受信し保持された暗号鍵により復号して得られる通話データによって録音すると共に、該接続相手の電話機端末に該暗号化通話パケットを転送する。【選択図】  図１
2007013254.tif 000002
【特許請求の範囲】
【請求項１】
ＩＰ網を介した電話機端末間の通話を録音装置によって録音する通話録音方法であって、
呼接続要求に応じて、発呼側電話機端末及び着呼側電話機端末の双方に向けて、接続相手に対応する接続先ＩＰアドレスとして前記録音装置のＩＰアドレスを設定した応答を送信して呼接続をなす呼接続ステップと、
前記電話機端末の各々から接続相手に向けた暗号鍵の送信に応じて、これを前記接続先ＩＰアドレスを介して前記録音装置において受信し保持すると共に、前記接続相手の電話機端末に転送する鍵保持転送ステップと、
前記電話機端末の各々から接続相手に向けた暗号化通話パケットの送信に応じて、これを前記接続先ＩＰアドレスを介して前記録音装置において受信し保持された暗号鍵により復号して得られる通話データによって録音すると共に、前記接続相手の電話機端末に前記暗号化通話パケットを転送する記録転送ステップと、
を含むことを特徴とする通話録音方法。
【請求項２】
前記記録転送ステップは、前記通話データを前記呼接続毎に区分し、区分された通話データを前記電話機端末の各々のアドレス、電話番号及び通話日時のうちの少なくとも１つを含む識別情報により識別して前記録音装置によって録音するステップであることを特徴とする請求項１記載の通話録音方法。
【請求項３】
ＩＰ網を介した電話機端末間の通話を録音装置によって録音する通話録音システムであって、
呼接続要求に応じて、発呼側電話機端末及び着呼側電話機端末の双方に向けて、接続相手に対応する接続先ＩＰアドレスとして前記録音装置のＩＰアドレスを設定した応答を送信して呼接続をなす呼接続手段と、
前記電話機端末の各々から接続相手に向けた暗号鍵の送信に応じて、これを前記接続先ＩＰアドレスを介して前記録音装置において受信し保持すると共に、前記接続相手の電話機端末に転送する鍵保持転送手段と、
前記電話機端末の各々から接続相手に向けた暗号化通話パケットの送信に応じて、これを前記接続先ＩＰアドレスを介して前記録音装置において受信し、保持された暗号鍵により復号して得られる通話データによって録音すると共に、前記接続相手の電話機端末に前記暗号化通話パケットを転送する記録転送手段と、
を含むことを特徴とする通話録音システム。
【請求項４】
前記呼接続手段をなす呼制御サーバと、前記録音装置を含み且つ前記鍵交換手段及び前記記録転送手段をなす暗号対応プロキシサーバとを含むことを特徴とする請求項３記載の通話録音システム。
【発明の詳細な説明】
【技術分野】
【０００１】
本発明は、電話通話の内容を録音する通話録音方法に関し、特に、ＩＰ電話通話における通話録音方法及びシステムに関する。
【背景技術】
【０００２】
世界的なＩＰ電話の普及に伴って、犯罪に利用されたＩＰ電話利用の通話記録に対する捜査要請や、企業活動におけるＩＰ電話利用の通話記録を管理可能とする要望が高まっている。ＩＰ電話における音声伝送方式は、音声信号の符号化データが多数の通話パケットに分割されてＩＰ電話網に投入され、パケット毎に一定ではない不特定の経路を通って通話相手先で集められ、再び一連の符号化データに復元後に復号化されて音声信号に再現される。ＩＰ電話網を伝わる通話パケットの経路は基本的には制御され得ないものであって、特定の電話機端末間の通話内容を取得して記録することは従来の電話方式に比して容易ではない。
【０００３】
この点、特許文献１に開示の方法は、ＩＰ電話交換機との連動により任意の電話機端末間の通話経路を特定の装置を通過するようにすることで、通話内容の取得及び記録が可能であるとしている。
【特許文献１】特開２００３４６６４６号公報
【発明の開示】
【発明が解決しようとする課題】
【０００４】
しかしながら、かかる方法によっては、通話内容の機密性を図る暗号化が施された通話内容を取得及び記録することまでを可能とはしていない。暗号化された通話内容を取得或いは記録することは、原則的には秘匿されるべき情報伝達の機密性をその記録目的の範囲で限定的に解除する仕組みを必要とする。かかる仕組みを機密性保持を目的として構築された情報伝達方法あるは装置に組み入れることは容易ではない。
【０００５】
本発明の目的は、容易な構成により暗号化された通話内容の取得及び記録を可能とする通話録音方法及びシステムを提供することである。
【課題を解決するための手段】
【０００６】
本発明による通話録音方法は、ＩＰ網を介した電話機端末間の通話を録音装置によって録音する通話録音方法であり、呼接続要求に応じて、発呼側電話機端末及び着呼側電話機端末の双方に向けて、接続相手に対応する接続先ＩＰアドレスとして該録音装置のＩＰアドレスを設定した応答を送信して呼接続をなす呼接続ステップと、該電話機端末の各々から接続相手に向けた暗号鍵の送信に応じて、これを該接続先ＩＰアドレスを介して該録音装置において受信し保持すると共に、該接続相手の電話機端末に転送する鍵保持転送ステップと、該電話機端末の各々から接続相手に向けた暗号化通話パケットの送信に応じて、これを該接続先ＩＰアドレスを介して該録音装置において受信し保持された暗号鍵により復号して得られる通話データによって録音すると共に、該接続相手の電話機端末に該暗号化通話パケットを転送する記録転送ステップとを含むことを特徴とする。
【０００７】
本発明による通話録音システムは、ＩＰ網を介した電話機端末間の通話を録音装置によって録音する通話録音システムであり、呼接続要求に応じて、発呼側電話機端末及び着呼側電話機端末の双方に向けて、接続相手に対応する接続先ＩＰアドレスとして該録音装置のＩＰアドレスを設定した応答を送信して呼接続をなす呼接続手段と、該電話機端末の各々から接続相手に向けた暗号鍵の送信に応じて、これを該接続先ＩＰアドレスを介して該録音装置において受信し保持すると共に、該接続相手の電話機端末に転送する鍵保持転送手段と、該電話機端末の各々から接続相手に向けた暗号化通話パケットの送信に応じて、これを該接続先ＩＰアドレスを介して該録音装置において受信し保持された暗号鍵により復号して得られる通話データによって録音すると共に、該接続相手の電話機端末に該暗号化通話パケットを転送する記録転送手段とを含むことを特徴とする。
【発明の効果】
【０００８】
本発明による通話録音方法及びシステムによれば、暗号化通話をなす電話機端末双方に対して互いが接続相手であると認識せしめつつ接続先ＩＰアドレスを録音装置に設定する構成が与えられる。かかる構成により容易に暗号化された通話内容の取得及び記録が可能となる。
【発明を実施するための最良の形態】
【０００９】
本発明の実施例について添付の図面を参照して詳細に説明する。
【００１０】
図１は、本発明の実施例を示し、本発明による通話録音方法及びシステムを実現する全体システムの構成を示している。ここで、ＶｏＩＰ（Voice over Internet Protocol）電話機能を備える複数の電話機端末３１〜３ｎ（ｎは正数）がＩＰ電話網４０に接続されている。電話機端末３１〜３ｎの各々は、通常のＶｏＩＰ電話機能に加えて、暗号化通話機能を備える。暗号化通話の方式としては、例えば、ＳＲＴＰ（Secure Real-time Transport Protocol）が用いられ得る。ＳＲＴＰの利用においては、暗号鍵と復号鍵が同一の共通鍵方式が用いられる。ＩＰ電話網４０には、さらに、通常のサーバコンピュータにより実現され得る音声呼制御管理装置１０と、やはり通常のサーバコンピュータにより実現され得る暗号対応プロキシサーバ２０とが接続されている。
【００１１】
音声呼制御管理装置１０は、例えばＳＩＰ（Session Initiation Protocol）プロトコル等のＩＰ電話プロトコルに基づく呼接続をなす呼制御サーバであり、電話機端末３１〜３ｎとの間で呼制御パケット、すなわち呼制御信号を送受信することにより、通話要求に応じて端末間を呼接続して通話を可能とする。この場合、音声呼制御管理装置１０は、通常、呼確立時に呼制御信号を送受信する２つの電話機端末（例えば、電話機端末３１及び３２）の間に介在するが、通話時には電話機端末３１及び３２同士が互いに相手方のアドレスを接続相手として直接に通話パケットを交換する。音声呼制御管理装置１０は、また、通話内容の秘匿性を図るために暗号化された通話を可能とする機能を有する。電話機端末間における鍵交換の方式は、例えば、ＭＩＫＥＹ（Multimedia Internet KEYing）方式が用いられる。
【００１２】
暗号対応プロキシサーバ２０は、特定の機能を代理人的に肩代わりするプロキシ（proxy）サーバであり、電話通話の内容を録音する通話データの取得機能及び記録機能を備える。記録要求の無い通常の通話時には、暗号対応プロキシサーバ２０は、電話機端末３１〜３ｎの通話に関与しない。一方、記録要求の有る通話時には、音声呼制御管理装置１０の制御の下に、例えば電話機端末３１及び３２間の通話経路が暗号対応プロキシサーバ２０を通る通話経路に設定される。すなわち、暗号対応プロキシサーバ２０は、図示されるように例えば、”1.2.3.20”の如きＩＰアドレスが割り当てられ、発呼側及び着呼側である電話機端末３１及び３２に対して、該ＩＰアドレスが接続先ＩＰアドレスと設定して呼接続される。これにより、暗号対応プロキシサーバ２０は、該ＩＰアドレスに向けて送信される通話パケットを取り込むことで取得し、暗号化を復号した後にこれを記録する。記録された録音内容は記録目的に従って利用される。暗号対応プロキシサーバ２０は、暗号化された通話パケットを接続相手である電話機端末３１及び３２に転送する。これにより電話機端末３１及び３２の両端末間では、通話記録を意識することなく通話が可能となる。
【００１３】
図２は、図１に示された音声呼制御管理装置１０のより詳細の構成を示している。ここで、音声呼制御管理装置１０は，外部から呼制御信号を受信する受信部１１と、該呼制御信号に基づいて呼制御を行う呼制御部１２と、該呼制御に従って外部に呼制御信号を送信する送信部１３と、記録対象の電話機端末の識別情報（例えば、ＩＰアドレス）を保持する記録対象端末テーブル１４とを含む。
【００１４】
呼制御部１２は、電話機端末３１〜３ｎの何れかからの通話要求に際して、記録対象端末テーブル１４を参照して、発呼側或いは着呼側の電話機端末が記録対象端末に指定されているか否かを判定して、もし指定されている場合には、通常の呼制御に加えて当該電話機端末間の通話経路を暗号対応プロキシサーバ２０経由の通話経路に設定する。すなわち、発呼側を電話機端末３１とし着呼側を電話機端末３２とすると、電話機端末３１にとって接続先を暗号対応プロキシサーバ２０とし、電話機端末３２にとって接続先を暗号対応プロキシサーバ２０とする呼制御を行う。
【００１５】
記録対象端末テーブル１４には、図示されるように、予めまたは随時に外部からの記録要求に応じて電話機端末のＩＰアドレスが設定される。これにより、記録対象の電話機端末が識別される。ＩＰアドレスに代えてＶｏＩＰシステムとしての電話番号により記録対象の電話機端末が識別されても良い。
【００１６】
図３は、図１に示された暗号対応プロキシサーバ２０のより詳細の構成を示している。ここで、暗号対応プロキシサーバ２０は、音声呼制御管理装置１０から呼制御信号及び暗号鍵を受信し、記録対象の電話機端末の識別情報や暗号鍵を通話セッションテーブル２５に設定する制御部２１と、記録対象の電話機端末から送られる暗号化通話パケットを受信し、通話セッションテーブル２５から参照される復号鍵を用いて復号化を行い通話データを得る復号化部２２と、１通話単位である通話セッション毎に復号化された通話データを、通話記録部２６に選択的に蓄積する通話再現部２３と、復号化部２２が受信する同一の通話パケットを復号化部２２に並行して受信して、通話セッションテーブル２５の内容に従って適切な転送先の電話機端末に通話パケット及び暗号鍵を転送する転送部２４とを含む。
【００１７】
通話記録部２６は、例えば、ハードディスクの如き読込及び書込可能な記憶装置により実現され、通話データの音声情報を録音する録音装置を構成する。通話データは、呼接続毎すなわち通話セッション毎に区分され、区分された通話データは、電話機端末の各々のアドレス、電話番号及び通話日時のうちの少なくとも１つを含む識別情報により識別されて記録される。これにより、通話記録部２６に対して、通話セッションを識別する識別情報を指定することにより対応する通話データが再生され得る。
【００１８】
図４は、図３に示された通話セッションテーブルの構成例を示している。図示されるように、通話セッションテーブル２５は、発呼側電話機端末と着呼側電話機端末に区分され、それら各々についてＩＰアドレス及び暗号鍵が設定される。暗号鍵は、当該端末の接続相手が送話する際の暗号化に用いる暗号鍵を示している。例えば、図示される１通話セッションについて見ると、ＩＰアドレス"1.2.3.31"の電話機端末は、暗号鍵ＡをＩＰアドレス"1.2.3.32"の電話機端末に送付し、ＩＰアドレス"1.2.3.32"の電話機端末は、暗号鍵ＢをＩＰアドレス"1.2.3.31"の電話機端末に送付する鍵交換を行う。これにより、ＩＰアドレス"1.2.3.31"の電話機端末は、暗号鍵Ｂにより自身の送話を暗号化し、該送話をＩＰアドレス"1.2.3.32"の電話機端末は暗号鍵Ｂで復号して受話する。暗号鍵Ａについては逆の動作が行われる。尚、暗号鍵の内容は、通話セッション毎に固定的な鍵が用いられても、或いは通話セッション毎に生成されてその内容を変更するように用いられても良い。かかる共通鍵方式に代えて、公開鍵及び秘密鍵の１対を用いる暗号化方式が用いられても良い。
【００１９】
図５は、本発明の実施例における処理手順を示している。該処理手順について図１〜図３に示された構成要素を適宜参照して説明する。ここで、電話機端末３１を発呼側とし、電話機端末３２を着呼側とする。
【００２０】
先ず、電話機端末３１は、電話機端末３２への通話要求を、呼制御サーバ１０への呼制御信号の送信より行う（ステップＳ０１）。該通話要求には、電話機端末３１及び電話機端末３２の電話番号等の識別情報により接続相手を指定している。該呼制御信号に応じて、呼制御サーバ１０は、電話機端末３２との間の呼確立を開始する（ステップＳ０２）。この際に、呼制御サーバ１０は電話機端末３２に着信がＯＫか否かを確認する。電話機端末３２が稼働中且つ空き状態であって着信ＯＫである場合に以下のステップに進み、ＯＫでない場合には着信を中断する。
【００２１】
次に、呼制御サーバ１０は、電話機端末３１と電話機端末３２との通話が記録対象端末テーブル１４を参照して記録対象となっているものであるか否かを判定する（ステップＳ０３）。もし電話機端末３１と電話機端末３２の何れも記録対象の端末ではないと判定されれば通常の呼制御及び通話を行う。
【００２２】
電話機端末３１と電話機端末３２との通話が記録対象となっている場合に、呼制御サーバ１０は、電話機端末３１に対して接続先ＩＰアドレスを電話機端末３２のＩＰアドレスとする代わりに暗号対応プロキシサーバ２０のＩＰアドレスを接続先ＩＰアドレスとして応答すると共に、電話機端末３２に対しても接続先ＩＰアドレスを電話機端末３１のＩＰアドレスとする代わりに暗号対応プロキシサーバ２０のＩＰアドレスを接続先ＩＰアドレスと応答する（ステップＳ０４）。すなわち、電話機端末３１及び電話機端末３２をして、電話番号等の識別情報に基づいてその接続相手、すなわち通話先があくまで対向する端末間であるとしつつ、通話先に対応する接続先ＩＰアドレスが暗号対応プロキシサーバ２０のアドレスであると認識せしめる。これにより、電話機端末３１及び電話機端末３２の各々は、互いが暗号化により秘話通話の通話先との間で鍵交換を行うものと認識しつつ自身の暗号鍵を接続先ＩＰアドレスにより設定された暗号対応プロキシサーバ２０に向けて送付する。
【００２３】
そこで、暗号対応プロキシサーバ２０は、電話機端末３１が送付した暗号鍵Ａを受け取って保持すると共に、電話機端末３２にさらにこれを転送する（ステップＳ０５）。同様にして、暗号対応プロキシサーバ２０は、電話機端末３２が送付した暗号鍵Ｂを受け取って保持すると共に、電話機端末３１にさらにこれを転送する（ステップＳ０６）。
【００２４】
通話が開始された場合、電話機端末３１は、暗号鍵Ｂを用いて通話パケットを暗号化し、暗号化通話パケットを暗号対応プロキシサーバ２０へ送信する（ステップＳ０７）。暗号化された通話パケットを受信した暗号対応プロキシサーバ２０は、通話パケットの宛先を電話機端末３２へ変更して転送処理を行うと共に、予め受け取っていた暗号鍵Ｂを用いて通話パケットの復号化を行い、通話記録部２６へ記録することによって、通話録音を行う（ステップＳ０８）。
【００２５】
並行して、電話機端末３２は、暗号鍵Ａを用いて通話パケットを暗号化し、暗号化通話パケットを暗号対応プロキシサーバ２０へ送信する（ステップＳ０９）。暗号化された通話パケットを受信した暗号対応プロキシサーバ２０は、通話パケットの宛先を電話機端末３１へ変更して転送処理を行うと共に、予め受け取っていた暗号鍵Ａを用いて通話パケットの復号化を行い、通話記録部２６へ記録することによって、通話録音を行う（ステップＳ１０）。
【００２６】
以上の実施例において、本発明による通話録音方法及びシステムを用いることにより、任意の電話機端末間の通話について録音要求が発生した時に、当該電話機端末の接続先ＩＰアドレスをそれぞれ暗号対応プロキシサーバに設定する。これにより、電話機端末間で交換されるべき暗号鍵を暗号対応プロキシサーバと交換する構成が与えられる。すなわち、電話機端末の各々は、秘匿する通話の通話先を元々の接続先の電話機端末であるとの認識の下に暗号化鍵を交換して機密通話を行う。すなわち、電話機端末の各々は、暗号化通話の録音の実現において特別の構成を必要としない。
【００２７】
また、暗号対応プロキシサーバ２０を設けこれを経由した通話経路が設定された構成によって暗号化通話に対応することができることから、端末毎に録音機能を備える如き導入コストの大幅な増大を招くこと無く、また、録音用パケットをマルチキャストすることで既存ＩＰネットワークの負荷増大等の悪影響を招くことなく暗号化通話の録音が可能となる。
【産業上の利用可能性】
【００２８】
以上の説明では、電話機端末をＩＰ電話機端末であるとしているが、本発明における電話機端末は必ずしもＩＰ電話機端末である必要はなく、通話データをＩＰパケットに変換してＩＰネットワークと送受信するゲートウェイ機器を介した通常の電話端末であっても良い。
【図面の簡単な説明】
【００２９】
【図１】本発明の実施例を示し、本発明による通話録音方法及びシステムを実現する全体システムの構成を示しているブロック図である。
【図２】図１に示された音声呼制御管理装置のより詳細の構成を示しているブロック図である。
【図３】図１に示された暗号対応プロキシサーバのより詳細の構成を示しているブロック図である。
【図４】図３に示された通話セッションテーブルの構成例を示している図である。
【図５】本発明の実施例における処理手順を示していシーケンス図である。
【符号の説明】
【００３０】
１０  呼制御サーバ
１１  受信部
１２  呼制御部
１３  送信部
１４  記録対象端末テーブル
２０  暗号対応プロキシサーバ
２１  制御部
２２  復号化部
２３  通話再現部
２４  転送部
２５  通話セッションテーブル
２６  通話記録部
３１〜３ｎ  電話機端末
４０  ＩＰ電話網
【図１】
2007013254.tif 000003
【図２】
2007013254.tif 000004
【図３】
2007013254.tif 000005
【図４】
2007013254.tif 000006
【図５】
2007013254.tif 000007